(57)【要約】【課題】担体収納部の内側の水分を効果的に排出すると共に、触媒担持体の配設位置の自由度が低下することを防止できる排気ガス浄化装置を提供する。【解決手段】排気ガス浄化装置１は、内燃機関６の排気通路に配される。排気ガス浄化装置１は、通電によって加熱する触媒担持体１０と、排気通路の一部を構成し、触媒担持体１０を収納する担体収納部２１とを備える。また、排気ガス浄化装置１は、担体収納部２１の上流側に配された上流側配管３と、下流側に配された下流側配管４とを備えている。担体収納部２１は、触媒担持体１０を保持する側壁部２２を備えている。この側壁部２２の内側面２２３は、軸方向と平行に形成され、下流側が低くなるように傾斜している。下流側配管４の接続開口部４１は、側壁部２２の内側面２２３のうち最下部２１１と連続する位置に開口している。【選択図】図２
2012237280.tif 000002
【特許請求の範囲】
【請求項１】
内燃機関の排気通路に配される排気ガス浄化装置であって、
排気ガス浄化用の触媒を担持すると共に通電によって加熱することができるよう構成された触媒担持体と、
上記排気通路の一部を構成すると共に上記触媒担持体を収納する担体収納部と、
上記排気通路における上記担体収納部の上流側に配された上流側配管と、
上記排気通路における上記担体収納部の下流側に配された下流側配管とを備え、
上記担体収納部は、上記触媒担持体に対する排気ガスの流通方向である軸方向に対して直交する方向から上記触媒担持体を保持する側壁部を備え、
該側壁部の内側面は、上記軸方向と平行に形成されると共に下流側が低くなるように水平方向に対して傾斜しており、
上記担体収納部に対する上記下流側配管の接続開口部は、上記側壁部の上記内側面のうち最下部と連続する位置に開口していることを特徴とする排気ガス浄化装置。
【請求項２】
請求項１に記載の排気ガス浄化装置において、上記下流側配管は上記担体収納部から該担体収納部の上記軸方向に延びており、上記下流側配管の接続開口部における最下部は、上記側壁部の内側面における最下部に配置されていることを特徴とする排気ガス浄化装置。
【請求項３】
請求項１又は２に記載の排気ガス浄化装置において、上記担体収納部に対する上記上流側配管の接続開口部は、上記側壁部の上記内側面のうち最上部と連続する位置に開口していることを特徴とする排気ガス浄化装置。
【請求項４】
請求項１〜請求項３のいずれか一項に記載の排気ガス浄化装置において、上記上流側配管は上記担体収納部から該担体収納部の上記軸方向に延びており、上記上流側配管の接続開口部における最上部は、上記側壁部の内側面における最上部に配置されていることを特徴とする排気ガス浄化装置。
【発明の詳細な説明】
【技術分野】
【０００１】
本発明は、内燃機関から排出される排気ガスを浄化するためのハイブリッド車両用の排気ガス浄化装置に関する。
【背景技術】
【０００２】
内燃機関の排気ガス浄化装置としては、排気通路に排気ガス浄化用の触媒を担持してなる電気加熱式の触媒担持体を配設したものが知られている。該排気ガス浄化装置は、内燃機関により駆動する際、内燃機関の始動前に触媒担持体を予め加熱して触媒を活性状態にしておき、内燃機関始動直後の排気ガス浄化効率を高めることができる。触媒担持体は、ハニカム状に形成されたセラミックスからなる担体に、三元触媒等の触媒を担持して形成されると共に、担体に通電することで加熱するよう構成してある（特許文献１〜特許文献３）。
【０００３】
従来の排気ガス浄化装置９において、電気加熱式の触媒担持体９０は、図７に示すごとく、排気ガスを流通する排気管９１に形成された担体収納部９２に配される。この担体収納部９２は、同図に示すごとく、排気管の一部を拡径して形成された円筒形状をなしており、筒状の側壁部９３によって触媒担持体９０を押圧保持している。
【０００４】
ところが、内燃機関の排気ガスには水分が含まれているため、排気通路内において結露すると共に滴下して、担体収納部９２内に水分９５が溜まる場合がある。図７に示すごとく、この水分９５に触媒担持体９０が浸かった状態で触媒担持体９０を加熱すると、触媒担持体９０において、水分９５に浸かった部分と排気ガスに曝された部分との間に温度差を生じる。これにより、触媒担持体９０に熱応力が生じ、触媒担持体９０の割れに至るおそれがある。そこで、図８に示すごとく、担体収納部９２を傾斜させることにより、水分９５が担体保持部９２から排出されるよう構成することが考えられる。また、特許文献４には、排気通路において電気加熱式の触媒担持体の上流側と下流側とに水分を貯留するための窪み部を設ける構造が示されている。また、窪み部に変えて、水分を吸着する吸着手段を設ける構造についても示されている。
【先行技術文献】
【特許文献】
【０００５】
【特許文献１】特許第３３８５９７４号公報
【特許文献２】特許第２８４５００４号公報
【特許文献３】特許第３３１６１３７号公報
【特許文献４】特開２０１０−２０９６９９号公報
【発明の概要】
【発明が解決しようとする課題】
【０００６】
しかしながら、担体収納部９２を傾斜させる構造においては、その傾斜角度を大きく設定する必要がある。すなわち、図８に示すごとく、担体収納部９２と排気管９１との間には段差が形成されている。そのため、水分９５が段差を乗り越える角度まで担体収納部９２を傾斜させる必要があり、傾斜角度が大きくなりやすい。このように、担体収納部の傾斜角度を大きくした場合、担体収納部と連結された上流側配管及び下流側配管が車両の上下方向に向かって突出する。したがって、車両の上下方向に対して大きな配設スペースが必要となり、車両の床下に触媒担持体を配設することが困難となる場合がある。これにより、触媒担持体の配設位置の自由度が低くなりやすい。
【０００７】
また、特許文献４に示された窪み部を設けた構造においては、触媒担持体の上流側及び下流側で滴下した水分が触媒担持体側へ流入することを防止できるが、担体収納部において滴下した水分の流入を防止することはできない。また、窪み部に貯留した水分が自動車の走行中の振動等により、触媒担持体側に流入するおそれもある。
また、吸着手段を設けた場合には、排気通路における排気ガスの流通性が悪化し、排気ガスの排気が充分に行えなくなるおそれがある。
【０００８】
本発明は従来の問題点に鑑みてなされたものであり、担体収納部の内側の水分を効果的に排出すると共に、触媒担持体の配設位置の自由度が低下することを防止できる排気ガス浄化装置を提供しようとするものである。
【課題を解決するための手段】
【０００９】
本発明は、内燃機関の排気通路に配される排気ガス浄化装置であって、
排気ガス浄化用の触媒を担持すると共に通電によって加熱することができるよう構成された触媒担持体と、
上記排気通路の一部を構成すると共に上記触媒担持体を収納する担体収納部と、
上記排気通路における上記担体収納部の上流側に配された上流側配管と、
上記排気通路における上記担体収納部の下流側に配された下流側配管とを備え、
上記担体収納部は、上記触媒担持体に対する排気ガスの流通方向である軸方向に対して直交する方向から上記触媒担持体を保持する側壁部を備え、
該側壁部の内側面は、上記軸方向と平行に形成されると共に下流側が低くなるように水平方向に対して傾斜しており、
上記担体収納部に対する上記下流側配管の接続開口部は、上記側壁部の上記内側面のうち最下部と連続する位置に開口していることを特徴とする排気ガス浄化装置にある（請求項１）。
【発明の効果】
【００１０】
上記排気ガス浄化装置においては、上記担体収納部の上記側壁部の上記内側面は、上記触媒担持体の上記軸方向と平行に形成されると共に、下流側が低くなるように水平方向に対して傾斜している。さらに、上記担体収納部に対する上記下流側配管の接続開口部は、上記側壁部の上記内側面における上記最下部と連続する位置に開口している。すなわち、上記側壁部の上記内側面は、下流側が低くなるよう傾斜すると共に、その下流端である上記最下部に上記接続開口部が開口している。
【００１１】
これにより、上記担体収納部に流入した水分は、下流側に傾斜した上記側壁部の上記内側面を伝い、上記接続開口部へと流通する。そして、上記接続開口部から上記下流側配管へと流出する。それゆえ、上記担体収納部に水分が溜まることを防ぎ、上記触媒担持体が水分に浸かることを効果的に防止することができる。
また、上記担体収納部の上記側壁部の上記内側面における上記最下部と連続する位置に上記接続開口部が開口しているため、上記側壁部の上記内側面の水平方向に対する傾斜角を大きくしなくても水分を上記接続開口部へ向かって流通させることができる。それゆえ、上記傾斜角を小さくすることにより、上記触媒担持体における上記軸方向を水平方向に近づけることができる。これにより、上下方向に対する上記上流側配管及び上記下流側配管の突出を抑制し、配設位置の自由度の低下を抑制することができる。
【００１２】
上記のごとく、本発明によれば、担体収納部の内側の水分を効果的に排出すると共に、触媒担持体の配設位置の自由度が低下することを防止できる排気ガス浄化装置を提供することができる。
【図面の簡単な説明】
【００１３】
【図１】実施例１における、排気ガス浄化装置を示す説明図。
【図２】実施例１における、担体収納部の断面説明図。
【図３】実施例２における、担体収納部の断面説明図。
【図４】実施例３における、担体収納部の断面説明図。
【図５】実施例４における、担体収納部の断面説明図。
【図６】実施例５における、担体収納部の断面説明図。
【図７】背景技術における、排気ガス浄化装置を示す説明図。
【図８】背景技術における、担体収納部の断面説明図。
【発明を実施するための形態】
【００１４】
上記排気ガス浄化装置において、上記下流側配管は上記担体収納部から該担体収納部の上記軸方向に延びており、上記下流側配管の上記接続開口部における最下部は、上記側壁部の内側面における最下部に配置されていることが好ましい（請求項２）。この場合には、上記側壁部と上記下流側配管との間において、水分を効率よく排気通路の下流側へ流通させることができる。また、上記側壁部と上記下流側配管との間における排気ガスの流通方向の変化量を小さくすることができ、効率よく排気ガスを流通することができる。
【００１５】
また、上記担体収納部に対する上記上流側配管の接続開口部は、上記側壁部の上記内側面のうち最上部と連続する位置に開口していることが好ましい（請求項３）。この場合には、上記担体収納部内において、浄化前の排気ガスは、上記担体収納部の最上部に連続して配された上記上流側配管から取り込まれる。そして、上記担体収納部の内側を流通し、上記触媒担持体により浄化された排気ガスは、上記担体収納部の最下部に連続して配された上記下流側配管から排出される。そのため、上記担体収納部に流入した排気ガスを、上記触媒担持体の上部から下部にわたる全体に接触させやすくなる。したがって、上記触媒担持体に担持された上記触媒の全体を万遍なく用いて、効果的に排気ガスを浄化することができる。それゆえ、上記排気ガス浄化装置の浄化性能を向上することができる。
【００１６】
また、上記上流側配管は上記担体収納部から該担体収納部の上記軸方向に延びており、上記上流側配管の接続開口部における最上部は、上記側壁部の内側面における最上部に配置されていることが好ましい（請求項４）。この場合には、上記側壁部と上記上流側配管との間における排気ガスの流通方向の変化量を小さくすることができ、効率よく排気ガスを流通することができる。
【実施例】
【００１７】
（実施例１）
本発明の実施例にかかる排気ガス浄化装置１について、図１及び図２を参照して説明する。
本例に示す排気ガス浄化装置１は、図１及び図２に示すごとく、内燃機関６の排気通路に配されるものである。排気ガス浄化装置１は、排気ガス浄化用の触媒を担持すると共に通電によって加熱することができるよう構成された触媒担持体１０と、上記排気通路の一部を構成すると共に触媒担持体１０を収納する担体収納部２１とを備えている。また、排気ガス浄化装置１は、上記排気通路における担体収納部２１の上流側に配された上流側配管３と、上記排気通路における担体収納部２１の下流側に配された下流側配管４とを備えている。
【００１８】
担体収納部２１は、触媒担持体１０に対する排気ガスＧ１の流通方向である軸方向に対して直交する方向から触媒担持体１０を保持する側壁部２２を備えている。この側壁部２２の内側面２２３は、軸方向と平行に形成されていると共に下流側が低くなるように水平方向に対して傾斜している。担体収納部２１に対する下流側配管４の接続開口部４１は、側壁部２２の内側面２２３のうち最下部２１１と連続する位置に開口している。
【００１９】
本例の排気ガス浄化装置１について、詳細に説明する。
図１に示すごとく、排気ガス浄化装置１は、内燃機関６及びモータ（図示略）を駆動源として備えるハイブリッド車両に用いられるものである。
排気ガス浄化装置１は、内燃機関６における排気管２内の上記排気通路に配設された電気加熱式の触媒担持体１０と、上記排気通路において触媒担持体１０の下流側に配設された下流側浄化部５とを有する。
【００２０】
電気加熱式の触媒担持体１０は、排気ガス浄化用の触媒を担体に担持して構成されている。
上記担体は、略円柱状をなすと共に、その軸方向に排気ガスを流通するよう形成された複数のセルからなるハニカム構造体である。上記担体は、例えばＳｉＣを主成分とする多孔質のセラミックス抵抗体を用いることができる。上記担体の外周側面には、一対の電極１２が設けてある。そして、上記担体は、一対の電極１２間に通電することにより、上記担体を加熱することができるよう構成してある。
【００２１】
触媒担持体１０において、上記担体に担持された触媒には、Ｐｔ、Ｒｈ等からなる三元触媒を用いた。
また、図２に示すごとく、触媒担持体１０の外周側面には、担体収納部２１の内側面２２３と当接する絶縁部１１を形成してある。絶縁部１１は、触媒担持体１０と上記排気通路の一部をなす担体収納部２１との間を電気的に絶縁してなる。
【００２２】
上記排気通路をなす排気管２は、図１及び図２に示すごとく、触媒担持体１０を保持する担体収納部２１と、この担体収納部２１の上流側に配された上流側配管３と、担体収納部２１の下流側に配された下流側配管４とを有している。
担体収納部２１は、図２に示すごとく、触媒担持体１０の外周側面を保持する円筒状の側壁部２２と、該側壁部２２の上流側に位置する上流側開口端２２１と上流側配管３の接続開口部３１とを接続する上流側径変化部２３を有している。側壁部２２は、その軸方向が水平方向に対して下流側に傾斜するように配してある。また、担体収納部２１は、側壁部２２の下流側に位置する下流側開口端２２２と下流側配管４の接続開口部４１とを接続する下流側径変化部２４を有している。
【００２３】
上流側径変化部２３は、図２に示すごとく、上流側開口端２２１から、接続開口部３１に向かって徐々に縮径するように形成してある。また、下流側径変化部２４は、同図に示すごとく、下流側開口端２２２から、接続開口部４１に向かって徐々に縮径するように形成してある。この場合には、上流側径変化部２３及び下流側径変化部２４において、排気ガスＧ１の流通方向を緩やかに変化させることができる。したがって、排気ガスＧ１の流通方向を変化させる際の圧損を低減し、排気効率の低下を抑制することができる。
【００２４】
上流側配管３は、図１に示すごとく、円筒状のパイプを湾曲させて形成してあり、一端を内燃機関６の排気ポート６１と連結してある。上流側配管３の他端は、担体収納部２１の上流側径変化部２３と連結してあり、排気ポート６１から排出される排気ガスＧ１は、上流側配管３の内側を流通して担体収納部２１へと送られる。上流側配管３の他端には、図１及び図２に示すごとく、直線形状をなす直管部３４を形成してあり、この直管部３４の中心軸線と側壁部２２の中心軸線とは、同一直線上に配してある。
【００２５】
下流側配管４は、図１に示すごとく、一端を担体収納部２１の下流側径変化部２４と連結してある。下流側配管４の他端は、下流側浄化部５と連結してあり、電気加熱式の触媒担持体１０によって浄化された浄化排気ガスＧ２は、下流側配管４の内側を流通し下流側浄化部５へと送られる。図１及び図２に示すごとく、下流側配管４の一端には、直線形状をなす直管部４３を形成してあり、接続開口部４１における最下部４２が、担体収納部２１の最下部２１１と連続して配される。また、下流側配管４の直管部４３における軸方向は、担体収納部２１の側壁部２２における軸方向と平行に配されている。
【００２６】
すなわち、円筒状をなす側壁部２２における中心軸と、この中心軸と交差する鉛直方向の直線とが存在する平面の断面（図２）において、接続開口部４１の最下部４２と側壁部２２の最下部２１１とは、同一の点（最下点Ｐ１）上に配されている。また、側壁部２２の内側面２２３の断面形状における下方に位置する下方輪郭線２１３と、下流側配管４の内側面の断面形状における下方に位置する下方輪郭線４４とは、最下点Ｐ１を通過する同一直線上に配されている。
【００２７】
図１に示すごとく、下流側配管４の他端に連結された下流側浄化部５は、電気加熱式の触媒担持体１０によって浄化された浄化排気ガスＧ２をさらに浄化するためのものである。下流側浄化部５は、上記排気通路をなす下流側担体収納部５１と、この下流側担体収納部５１内に配された排気ガス浄化用の触媒を担体に担持した下流側触媒担持体５２とからなる。
下流側触媒担持体５２の担体は、略円柱状の外形をなすと共に、その軸方向が排気ガスの流通方向となるよう形成された複数のセルからなるハニカム構造体である。本例において、下流側触媒担持体５２の担体は、例えばコージェライトを主成分とする多孔質のセラミックス抵抗体を用いることができる。
下流側触媒担持体５２は、上記担体の表面全体を三元触媒によって被覆して形成されている。下流側触媒担持体５２は、排気ガスＧ１の熱を利用して加熱するように構成してある。
【００２８】
本例においては、電気加熱式の触媒担持体１０及び下流側触媒担持体５２の上記触媒に三元触媒を用いたが、これに限られるものではなく、酸化触媒等の種々の上記触媒を用いることができる。
また、排気ガス浄化装置１において、電気加熱式の触媒担持体１０によって所望の排気ガス浄化性能を得られる場合には、下流側浄化部５を省略してもよい。
【００２９】
次に、本例の作用効果について説明する。
本例において、担体収納部２１の側壁部２２の内側面２２３は、触媒担持体１０の軸方向と平行に形成されると共に、下流側が低くなるように水平方向に対して傾斜している。さらに、担体収納部２１に対する下流側配管４の接続開口部４１は、側壁部２２の内側面２２３における最下部４２と連続する位置に開口している。すなわち、側壁部２２の内側面２２３は、下流側が低くなるよう傾斜すると共に、その下流端である最下部４２に接続開口部４１が開口している。
【００３０】
これにより、担体収納部２１に流入した水分Ｗは、下流側に傾斜した側壁部２２の内側面２２３を伝い、接続開口部４１へと流通する。そして、接続開口部４１から下流側配管４へと流出する。それゆえ、担体収納部２１に水分Ｗが溜まることを防ぎ、触媒担持体１０が水分Ｗに浸かることを効果的に防止することができる。
また、担体収納部２１の側壁部２２の内側面２２３における最下部４２と連続する位置に接続開口部４１が開口しているため、側壁部２２の内側面２２３の水平方向に対する傾斜角を大きくしなくても水分Ｗを接続開口部４１へ向かって流通させることができる。それゆえ、上記傾斜角を小さくすることにより、触媒担持体１０における上記軸方向を水平方向に近づけることができる。これにより、上下方向に対する上流側配管３及び下流側配管４の突出を抑制し、配設位置の自由度の低下を抑制することができる。
【００３１】
また、下流側配管４は担体収納部２１から該担体収納部２１の軸方向に延びており、下流側配管４の接続開口部４１における最下部４２は、側壁部２２の内側面２２３における最下部２１１に配置されている。そのため、側壁部２２と下流側配管４との間において、水分を効率よく上記排気通路の下流側へ流通させることができる。また、側壁部２２と下流側配管４との間における排気ガスＧ１の流通方向の変化量を小さくすることができ、効率よく排気ガスＧ１を流通することができる。
【００３２】
上記のごとく、本例によれば、担体収納部２１の内側の水分Ｗを効果的に排出すると共に、触媒担持体１０の配設位置の自由度が低下することを防止できる排気ガス浄化装置１を提供することができる。
【００３３】
（実施例２）
本例は、図３に示すごとく、実施例１に示した排気ガス浄化装置１に対して、上流側配管３の配置を変更した例である。
本例の排気ガス浄化装置１における上流側配管３の直管部３４は、同図に示すごとく、その軸方向が担体収納部２１の側壁部２２の軸方向と同方向となるように配されている。また、直管部３４の接続開口部３１における最下部３３は、担体収納部２１の側壁部２２における軸線と平行でかつ担体収納部２１における最下部２１１を通る直線上に配してある。すなわち、円筒状をなす側壁部２２における中心軸と、この中心軸と交差する鉛直方向の直線とが存在する平面の断面（図３）において、側壁部２２の断面形状における下方に位置する下方輪郭線２１３と、上流側配管３の断面形状における下方に位置する下方輪郭線３５とは同一直線上に配されている。その他の構成は実施例１と同様である。
本例においても実施例１と同様の効果を得ることができる。
【００３４】
（実施例３）
本例は、図４に示すごとく、実施例１に示した排気ガス浄化装置１に対して、下流側配管４の配置を変更した例である。
本例の排気ガス浄化装置１においては、同図に示すごとく、担体収納部２１における側壁部２２の軸方向に対して、下流側配管４における直管部４３の軸方向を下流側に傾斜するように配してある。
【００３５】
すなわち、円筒状をなす側壁部２２における中心軸と、この中心軸と交差する鉛直方向の直線とが存在する平面の断面（図４）において、接続開口部４１の最下部４２と側壁部２２の最下部２１１とは、同一の点（最下点Ｐ１）上に配されている。また、側壁部２２の内側面２２３の断面形状における下方に位置する下方輪郭線２１３と、下流側配管４の内側面の断面形状における下方に位置する下方輪郭線４４とは、最下点Ｐ１において交わっている。尚、本例において、直管部４３の水平方向に対する傾斜角度は、側壁部２２の内側面２２３における傾斜角度よりも大きく設定してある。その他の構成は実施例１と同様である。
本例においても実施例１と同様の作用効果を得ることができる。
【００３６】
（実施例４）
本例は、図５に示すごとく、実施例１に示した排気ガス浄化装置１に対して、上流側配管３における接続開口部３１の配設位置を変更した例である。
本例の排気ガス浄化装置１において、担体収納部２１に対する上流側配管３の接続開口部３１は、同図に示すごとく、側壁部２２の内側面２２３の最上部２１２と連続する位置に開口している。すなわち、担体収納部２１の側壁部２２における軸線と、この軸線と交差する鉛直方向の直線とからなる平面の断面（図５）において、上流側配管３の最上部３２と担体収納部２１の側壁部２２における最上部２１２とは、同一の点である最上点Ｐ２上に配されている。また、断面において、側壁部２２の内側面２２３の断面形状における上方に位置する上方輪郭線２１４と、上流側配管３の内側面の断面形状における上方に位置する上方輪郭線３６とは、最上点Ｐ２上で交わっている。そして、上流側配管３の直管部３４における軸方向は、水平方向となるように配してある。その他の構成は実施例１と同様である。
【００３７】
担体収納部２１内において、浄化前の排気ガスＧ１は、担体収納部２１の最上部２１２に連続して配された上流側配管３から取り込まれる。そして、担体収納部２１の内側を流通し、触媒担持体１０により浄化された排気ガスＧ１は、担体収納部２１の最下部２１１に連続して配された下流側配管４から排出される。そのため、担体収納部２１に流入した排気ガスＧ１を、触媒担持体１０の上部から下部にわたる全体に接触させやすくなる。したがって、触媒担持体１０に担持された上記触媒の全体を万遍なく用いて、効果的に排気ガスＧ１を浄化することができる。それゆえ、排気ガス浄化装置１の浄化性能を向上することができる。
また、本例においても実施例１と同様の作用効果を得ることができる。
【００３８】
（実施例５）
本例は、図６に示すごとく、実施例４に示した排気ガス浄化装置１に対して、上流側配管３の配設角度を変更した例である。
本例の排気ガス浄化装置１においては、同図に示すごとく、上流側配管３における直管部３４の軸方向と、担体収納部２１の側壁部２２の軸方向とが平行となるように配してある。すなわち、円筒状をなす側壁部２２における中心軸と、この中心軸と交差する鉛直方向の直線とが存在する平面の断面（図６）において、側壁部２２の断面形状における上方に位置する上方輪郭線２１４と、上流側配管３の断面形状における上方に位置する上方輪郭線３６とは、同一直線上に配してある。その他の構成は実施例４と同様である。
【００３９】
上流側配管３は担体収納部２１から該担体収納部２１の軸方向に延びており、上流側配管３の接続開口部３１における最上部３２は、担体収納部２１の側壁部２２の内側面２２３における最上部２１２に配置されている。そのため、側壁部２２と上流側配管３との間における排気ガスＧ１の流通方向の変化量を小さくすることができ、効率よく排気ガスＧ１を流通することができる。
また、本例においても実施例４と同様の作用効果を得ることができる。
【符号の説明】
【００４０】
１  排気ガス浄化装置
１０  触媒担持体
２１  担体収納部
２１１  最下部
２２  側壁部
２２３  内側面
３  上流側配管
４  下流側配管
４１  接続開口部
４２  最下部
６  内燃機関
Ｇ１  排気ガス
Ｗ  水分
【図１】
2012237280.tif 000003
【図２】
2012237280.tif 000004
【図３】
2012237280.tif 000005
【図４】
2012237280.tif 000006
【図５】
2012237280.tif 000007
【図６】
2012237280.tif 000008
【図７】
2012237280.tif 000009
【図８】
2012237280.tif 000010